(57)【要約】【課題】割型及び入れ子により成形されるリブによって導線が損傷しないようにすることができる導線保持構造、表示装置、テレビ受像装置及び樹脂成形品の成形方法を提供する。【解決手段】樹脂製の前キャビネット１の一部に設けられている板状のリブ２に、該リブ２の頂面から基端側へ窪み、導線３の中途が嵌入される嵌入溝２１を設け、該嵌入溝２１の側面におけるリブ横断方向の一部又は全部の溝深方向視断面を凸形状とし、該凸形状の部分を入れ子だけで成形することができ、割型及び入れ子の型合わせ面間に生じる尖鋭縁及びバリを非凸形状の部分に生じさせることができるようにした。【選択図】図７
2012234144.tif 000002
【特許請求の範囲】
【請求項１】
樹脂成形品の一部にその横断方向の嵌入溝を有するリブを設け、前記嵌入溝に導線の中途を嵌入して該導線を保持する保持構造において、前記嵌入溝の側面における前記横断方向の一部又は全部は、溝深方向視断面が凸形状をなしていることを特徴とする導線保持構造。
【請求項２】
前記凸形状の部分は断面略半円形をなしている請求項１記載の導線保持構造。
【請求項３】
前記凸形状の部分は、前記横断方向の一方側に偏在している請求項２記載の導線保持構造。
【請求項４】
前記嵌入溝の側面における前記横断方向の他方側の縁部は面取りされているか、又は非尖鋭の凸をなしている請求項３記載の導線保持構造。
【請求項５】
一側に表示面を有する表示部と、該表示部の他側を隠蔽するキャビネットと、該キャビネット内に配され、導線が接続されている回路基板と、前記導線の中途が前記嵌入溝に嵌入して保持される請求項１から４のいずれか一つに記載の導線保持構造とを備えることを特徴とする表示装置。
【請求項６】
テレビ放送信号を受信する受信部を備え、該受信部がテレビ放送信号を受信して前記表示部の表示面にテレビ画像を表示する請求項５に記載の表示装置を含むことを特徴とするテレビ受像装置。
【請求項７】
被嵌入物が嵌入される嵌入溝を有するリブが一部に設けられている樹脂成形品の成形方法において、前記樹脂成形品の一側部に対応する第１のキャビティを有する第１の割型と、前記樹脂成形品の他側部に対応する第２のキャビティを有する第２の割型と、前記リブに対応する第３のキャビティ及び該第３のキャビティの前記嵌入溝に対応する部分に凹条を有する入れ子とを用い、前記第１及び第２の割型と入れ子とを型合わせした後、前記各キャビティに溶融樹脂材を供給して前記嵌入溝の側面における前記横断方向の一部又は全部が、溝深方向視断面が凸形状をなしている樹脂成形品を成形することを特徴とする樹脂成形品の成形方法。
【発明の詳細な説明】
【技術分野】
【０００１】
本発明は画像を表示する表示部等の導線接続部に接続される導線の中間を係止する導線保持構造、該導線保持構造を備える液晶表示装置、プラズマ表示装置、ＳＥＤディスプレイ、ＥＬディスプレイ等の表示装置、該表示装置を含むテレビ受像装置及びリブを有する樹脂成形品の成形方法に関する。
【背景技術】
【０００２】
液晶表示装置は、画像を表示する表示面を前側に有する表示部の後側に複数本のランプ及び該ランプを収容支持したケース体を有する光源部を配し、前記ケース体の後面に、各ランプに接続されたインバータ回路基板を取付け、該インバータ回路基板に複数本の導線が接続されており、該導線の中途を保持する導線保持構造を前記ケース体の一側部に設けられている（例えば、特許文献１参照）。導線保持構造は、ケース体と一体に成形されたリブと、該リブに開設された嵌入溝とを有し、該嵌入溝に導線の中途を嵌入することにより保持するように構成されている。
【０００３】
また、液晶テレビジョン等の表示装置は、前記光源部の外周り及び後側に、電源回路基板、信号処理回路基板、複数の操作スイッチを集約した操作回路基板、表示ランプ及びリモートコントロール用受光素子等を集約した表示回路基板等の多くの部品が配されている。これら部品のうち、操作回路基板及び表示回路基板は、前記表示部及び光源部を被覆し、外郭部品である樹脂製のキャビネットに取付けられることが多いため、換言すると、前記信号処理回路基板等の回路基板は前記表示部の後中央側に配され、前記操作回路基板及び表示回路基板は前記表示部の後周縁側に配され、前記後中央側の回路基板に対して比較的離隔するため、この後周縁側に配される操作回路基板及び表示回路基板と後中央側に配される回路基板とに接続される導線は比較的長い非直線経路に配されることになる。このように配される導線は、ワイヤホルダ、テープ等により前記キャビネットに固定される。
【０００４】
また、樹脂成形品にリブを一体に成形する方法は、樹脂成形品に対応するキャビティを有する割型と、リブに対応するキャビティを有する入れ子との各キャビティに溶融樹脂材を供給することにより、嵌入溝を有するリブを前記樹脂成形品と一体に成形するように構成されている（例えば、特許文献２参照）。
【先行技術文献】
【特許文献】
【０００５】
【特許文献１】特開２００２−３５０８５１号公報
【特許文献２】特開平６−１４３３３３号公報
【発明の概要】
【発明が解決しようとする課題】
【０００６】
ワイヤホルダ、テープ等により導線を固定する方法にあっては、専用の部材が必要であり、部品点数が増加するとともに、部材用のスペースが必要であるため、表示装置の外観部材である合成樹脂製のキャビネットに、嵌入溝を有するリブを一体成形し、該リブの嵌入溝に導線の中途を嵌入保持することにより、別部材を追加することなく導線を固定することができ、部品点数を減らすことができるように構成される傾向にある。
導線係止用のリブは、特許文献２に記載されているように割型と入れ子とを用いることにより簡易に形成することができる。
【０００７】
図１６は従来の樹脂成形品の成形方法を示す模式的説明図、図１７は従来の成形方法により成形されたリブの構成を示す斜視図である。図１６に示すように割型１００と入れ子１０１との合わせ面が板状リブ１０２の厚さ方向一縁にあるため、成形されたリブ１０２の嵌入溝１０３は、リブ１０２の厚さ方向一縁１０２ａが尖鋭となり、また、厚さ方向一縁１０２ａにバリが発生し易くなる。
よって、リブ１０２の嵌入溝１０３に嵌入保持される導線が所定の非直線経路に配線される際に、該導線が嵌入溝１０３の尖鋭縁、バリにて断線したりすることがある。
【０００８】
本発明の出願人は導線が嵌入溝の尖鋭縁、バリにて断線したりするのを防ぐため、嵌入溝に、該嵌入溝の窪み方向に沿う溝を設けることにより、該溝に割型及び入れ子の型合わせ面が位置するようにリブを成形することができ、割型及び入れ子の型合わせ面間に生じる尖鋭縁及びバリを前記溝内に生じさせることができるようになした導線保持構造及び樹脂成形品の成形方法を先に開発した。
【０００９】
しかしながら、先に開発された成形方法、及び成形された導線保持構造にあっては、リブの一側部に対応するキャビティ及び該キャビティの前記嵌入溝に対応する縁に凸条を有する割型と、リブの他側部に対応するキャビティ及び該キャビティの前記嵌入溝に対応する縁に凸条を有する入れ子とが必要であるため、割型及び入れ子の構造が複雑となり、割型及び入れ子のコスト、ひいては成形されたリブを有する導線保持構造、これを備える表示装置、これを含むテレビ受像装置のコストが高くなり、改善策が要望されていた。
【００１０】
本発明は斯かる事情に鑑みてなされたものであり、主たる目的は導線の中途を嵌入して該導線を保持する嵌入溝の側面におけるリブ横断方向の一部又は全部は、溝深方向視断面が凸形状をなしている構成とすることにより、嵌入溝に嵌入保持される導線が損傷しないようにすることができ、しかも、凸形状を入れ子だけで成形することができ、割型のコスト、ひいては成形されたリブを有する導線保持構造、これを備える表示装置、これを含むテレビ受像装置及び樹脂成形品のコストを低減することができるようにする点にある。
【課題を解決するための手段】
【００１１】
本発明に係る導線保持構造は、樹脂成形品の一部にその横断方向の嵌入溝を有するリブを設け、前記嵌入溝に導線の中途を嵌入して該導線を保持する保持構造において、前記嵌入溝の側面における前記横断方向の一部又は全部は、溝深方向視断面が凸形状をなしていることを特徴とする。
【００１２】
この発明にあっては、嵌入溝における側面の凸形状の部分を入れ子だけで成形することができ、割型及び入れ子の型合わせ面間に生じる尖鋭縁及びバリを非凸形状の部分に生じさせることができる。よって、所定の経路に配される導線の中途がリブの嵌入溝に嵌入される際、凸形状の対向する頂部で導線を保持することができ、導線がリブにて損傷するのをなくすることができるとともに、割型のコスト、ひいては成形されたリブを有する導線保持構造のコストを低減することができる。
【００１３】
また、本発明に係る導線保持構造は、前記凸形状の部分は断面略半円形をなしている構成とするのが好ましい。
この発明にあっては、リブの嵌入溝に嵌入される導線が凸形状の頂部に接触し、導線の嵌入抵抗を低減することができるため、導線の中途を簡易に嵌入することができ、導線の保持作業能率を高めることができる。
【００１４】
また、本発明に係る導線保持構造は、前記凸形状の部分は、前記横断方向一方側に偏在している構成とするのが好ましい。
この発明にあっては、割型及び入れ子の型合わせ面よりも凸形状の部分を離隔させることができ、凸形状の部分の近傍にバリが生じないようにすることができるため、導線の中途が曲げられることがあっても、導線がバリに接触するのをなくすることができ、バリによる損傷を気遣うことなく導線の中途を簡易に嵌入することができ、導線の保持作業能率をより一層高めることができる。
【００１５】
また、本発明に係る導線保持構造は、前記嵌入溝の側面における前記横断方向の他方側の縁部は面取りされているか、又は非尖鋭の凸をなしている構成とするのが好ましい。
この発明にあっては、割型及び入れ子の型合わせ面よりも離隔した側に凸形状の部分があり、割型及び入れ子の型合わせ面側に臨む縁部が面取りされて非尖鋭になっていないか、又は非尖鋭の凸をなしているため、凸形状の対向する頂部で保持された導線の中途が比較的大きく曲げられることがあっても、導線がバリに接触するのをなくすることができ、導線がリブにて損傷するのをなくすることができる。
【００１６】
また、本発明に係る表示装置は、一側に表示面を有する表示部と、該表示部の他側を隠蔽するキャビネットと、該キャビネット内に配され、導線が接続されている回路基板と、前記導線の中途が前記嵌入溝に嵌入して保持される上述した発明の導線保持構造とを備えることを特徴とする。
この発明にあっては、表示部の周縁側に配される部品と表示部の後中央側に配される部品との離隔距離が比較的長く、導線が非直線経路に配される場合であっても、この非直線経路に導線を配する際、導線がリブにて損傷するのをなくすることができる。
【００１７】
また、本発明に係るテレビ受像装置は、テレビ放送信号を受信する受信部を備え、該受信部がテレビ放送信号を受信して前記表示部の表示面にテレビ画像を表示する上述した発明の表示装置を含むことを特徴とする。
この発明にあっては、テレビ放送信号を受信して表示部の表示面にテレビ画像を表示することができる。
【００１８】
また、本発明に係る樹脂成形品の成形方法は、被嵌入物が嵌入される嵌入溝を有するリブが一部に設けられている樹脂成形品の成形方法において、前記樹脂成形品の一側部に対応する第１のキャビティを有する第１の割型と、前記樹脂成形品の他側部に対応する第２のキャビティを有する第２の割型と、前記リブに対応する第３のキャビティ及び該第３のキャビティの前記嵌入溝に対応する部分に凹条を有する入れ子とを用い、前記第１及び第２の割型と入れ子とを型合わせした後、前記各キャビティに溶融樹脂材を供給して前記嵌入溝の側面におけるリブ横断方向の一部又は全部が、溝深方向視断面が凸形状をなしている樹脂成形品を成形することを特徴とする。
【００１９】
この発明にあっては、入れ子が凹条を有するため、第１及び第２の割型と入れ子とを型合わせした後、第１〜第３のキャビティに溶融樹脂材を供給することにより、嵌入溝の側面で、割型及び入れ子の型合わせ面と離隔した位置に凸形状を有するリブを樹脂成形品と一体に成形することができる。よって、リブによる導線の損傷をなくすることができる導線保持構造及び表示装置を簡易に得ることができる。
【発明の効果】
【００２０】
本発明によれば、割型及び入れ子にて樹脂成形品と一体のリブが成形される場合、リブにおける嵌入溝の凸形状を入れ子だけで成形することができ、割型及び入れ子の型合わせ面間に生じる尖鋭縁及びバリを非凸形状の部分に生じさせることができるため、所定の経路に配される導線がリブの嵌入溝に嵌入される際、凸形状の頂部で導線を保持することができ、導線がリブにて損傷するのをなくすることができる
【図面の簡単な説明】
【００２１】
【図１】テレビ受像装置の概略構成を示す分解斜視図である。
【図２】液晶表示装置の概略構成を示す分解斜視図である。
【図３】本発明に係る導線保持構造の構成を示す斜視図である。
【図４】図３のIV−IV線拡大断面図である。
【図５】図３のV −V 線拡大断面図である。
【図６】本発明に係る樹脂成形品の成形方法を示す模式的説明図である。
【図７】本発明に係る成形方法の割型と入れ子との型合わせ部の拡大断面図である。
【図８】本発明に係る表示装置の構成を示す一部を省略した縦断側面図である。
【図９】本発明に係る表示装置の構成を示す一部を省略した背面図である。
【図１０】本発明に係る表示装置における前キャビネットの構成を示す背面側の斜視図である。
【図１１】本発明に係る表示装置における前キャビネットのリブ部分の構成を示す拡大斜視図である。
【図１２】本発明に係る導線保持構造の他の構成を示す拡大断面図である。
【図１３】本発明に係る導線保持構造の他の構成を示す拡大断面図である。
【図１４】本発明に係る導線保持構造の他の構成を示す拡大断面図である。
【図１５】本発明に係る導線保持構造の他の構成を示す拡大断面図である。
【図１６】従来の樹脂成形品の成形方法を示す模式的説明図である。
【図１７】従来の成形方法により成形されたリブの構成を示す斜視図である。
【発明を実施するための形態】
【００２２】
以下本発明をその実施の形態を示す図面に基づいて詳述する。説明は、前側に表示面を有し、略直方体をなす液晶表示パネルを備える薄型の表示機器に導線保持構造が設けられている表示装置を例として説明する。表示装置はバックライト部を含む液晶表示装置を搭載し、テレビ放送信号を受信する受信部を備え、該受信部がテレビ放送信号を受信してテレビ画像を前記液晶表示パネルに表示するテレビ受像装置を含む。図１はテレビ受像装置の概略構成を示す分解斜視図、図２は液晶表示装置の概略構成を示す分解斜視図である。
【００２３】
テレビ受像装置は、液晶表示装置Ａと、該液晶表示装置Ａを挾むようにして収容する枠体Ｂ及びカバーＣと、電源Ｄと、チューナＥと、スタンドＦとを備えて構成される。液晶表示装置Ａは、全体として横長の方形（矩形状）をなし、縦置き状態で枠体Ｂ及びカバーＣ内に収容されている。この液晶表示装置Ａは、図２に示すように、液晶表示パネルＧと、外部光源であるバックライト部Ｈとを備え、液晶表示パネルＧ及びバックライト部Ｈなどが枠状のベゼルなどの挾持枠体Ｊ，Ｋにより一体的に挾持され、パネルモジュールを構成するようになっている。
【００２４】
図３は本発明に係る導線保持構造の構成を示す斜視図、図４は図３のIV−IV線拡大断面図、図５は図３のV −V 線拡大断面図である。
【００２５】
図３〜図５に示す導線保持構造は、前側に表示面を有し略直方体をなす表示部の周縁部前側から周縁部を隠蔽する前キャビネット１と一体に成形される板状のリブ２を有し、該リブ２に、前記表示部に装着される部品と前キャビネット１に装着される部品とに接続される導線３の中途を嵌入保持する嵌入溝２１が設けられている。
【００２６】
リブ２は基端から先端に亘って漸次小幅となる略台形をなし、厚さ方向の一面２ａが、割型及び入れ子の合わせ面になっており、入れ子により成形されている。リブ２の幅方向中央部に、先端から基端側へ窪むリブ横断方向の嵌入溝２１が設けられている。嵌入溝２１の対向する二つの側面で、リブ横断方向一方側に偏在する部分は、溝深方向視断面が凸形状２２をなしている。また、リブ２の厚さ方向両面の基部には該リブ２を補強するための補強凸部２３が設けられている。
【００２７】
二つの側面の凸形状２２の部分は嵌入溝２１の深さ方向に沿って底面に亘って設けられ、断面略半円形をなしており、導線３の太さに対応した大きさに形成されている。つまり、太い導線に対しては凸形状２２の部分を大きくし、細い導線に対しては凸形状２２の部分を小さくしてある。凸形状２２の部分の高さは、嵌入溝２１の割型及び入れ子の合わせ面（一面２ａ）側になる先鋭縁２１ａに生じ得るバリの想定高さの最大値よりも高くなっている。凸形状２２の部分が先鋭縁２１ａに対して偏在する距離は、導線３の可撓性の度合いに対応して設定される。嵌入溝２１における側面の非凸形状側（一面２ａ側）は、先鋭縁２１ａ及び先鋭縁２１ａに連なり、一面２ａに対してほぼ直交する平坦面２１ｂになっている。
【００２８】
図６は本発明に係る樹脂成形品の成形方法を示す模式的説明図、図７は本発明に係る成形方法の割型と入れ子との型合わせ部の拡大断面図である。樹脂成形品を構成する前キャビネット１の成形方法は、前キャビネット１の表側部に対応する第１のキャビティ４１ａを有する第１の割型４１と、前キャビネット１の裏側部に対応する第２のキャビティ４２ａを有する第２の割型４２と、リブ２に対応する第３のキャビティ４３ａ及び第３のキャビティ４３ａの嵌入溝２１に対応する部分に湾曲の凹条４３ｂを有し、第２の割型４２に対して第１の割形４１と離隔する方向（図６矢印Ｘ方向）への摺動が可能な入れ子４３とを用い、図６に示すように第１及び第２の割型４１，４２と入れ子４３とを型合わせした後、第１〜第３のキャビティ４１ａ，４２ａ，４３ａに溶融樹脂材を供給することにより、第１及び第２のキャビティ４１ａ，４２ａにて前キャビネット１を一体に成形し、第３のキャビティ４３ａにてリブ２を前キャビネット１と一体に成形し、凹条４３ｂにて凸形状２２の部分を成形する。
【００２９】
第２の割型４２と入れ子４３とを型合わせしたとき、リブ２の厚さ方向の一面２ａが型合わせ面となり、嵌入溝２１の一面２ａに連なる縁は先鋭縁２１ａとなり、嵌入溝２１の一面２ａに連なる側面は、一面２ａに対してほぼ直交する平坦面２１ｂとなり、嵌入溝２１の一面２ａと離隔した側、換言するとリブ２の他面２ｂ側へ偏在した部分が凸形状２２に形成される。
【００３０】
凸形状２２の部分は、第３のキャビティ４３ａの凹条４３ｂだけで成形されるため、表面が平滑となり、バリは生じない。凸形状２２の部分は、先鋭縁２１ａに生じ得るバリの想定高さの最大値よりも高くなっており、先鋭縁２１ａに生じたバリの高さにばらつきがあっても、嵌入溝２１に嵌入保持される導線３がバリと接触するのを防ぐことができるようになしてある。バリが生じ得る先鋭縁２１ａから離隔している凸形状２２の部分の前記離隔する距離は、嵌入溝２１に嵌入保持される導線３の太さ及び可撓性の度合いに対応して設定される。
【００３１】
以上のように成形されたリブ２を備える導線保持構造は、液晶テレビジョン等の薄型の表示装置に装着される。
【００３２】
図８は本発明に係る表示装置の構成を示す一部を省略した縦断側面図、図９は表示装置の構成を示す一部を省略した背面図、図１０は前キャビネット１の構成を示す背面側の斜視図、図１１は前キャビネット１のリブ２部分の構成を示す拡大斜視図である。
【００３３】
図８〜図１１に示した薄型の表示装置は、前側にパネル部１１を有し、後側に該パネル部１１へ光を照射する光源部１２を有し、略直方体をなす表示部１０と、該表示部１０の後側に配されている信号処理回路基板１３及び電源回路基板１４と、該信号処理回路基板１３及び電源回路基板１４等の部品に接続してある複数本の導線３の中途を固定する導線係止具１５と、表示部１０の周縁部前側及び周縁部を隠蔽する合成樹脂製の前キャビネット１と、表示部１０の周縁部から後側を隠蔽する合成樹脂製の後キャビネット１６とを備える液晶テレビジョンである。
【００３４】
パネル部１１は、前側に表示面を有し略直方体をなすパネル１１ａ、及び該パネル１１ａの後側に配された拡散板等の光学シート１１ｂを備える。光源部１２は、光学シート１１ｂの後側に上下に離隔して並置され、該光学シート１１ｂ側へ光を照射する複数本のランプ１２ａと、該ランプ１２ａを収容して支持するケース体１２ｂとを備え、該ケース体１２ｂの後面にインバータ回路基板１２ｃが装着されている。ランプ１２ａは両端部に電極を有する冷陰極管であり、ランプ１２ａ夫々の端部の電極にインバータ回路基板１２ｃが接続され、パルス幅変調信号により明るさが制御されるように構成されている。
【００３５】
ケース体１２ｂは略直方体をなし、後面の一側部には、光源部１２を駆動するインバータ回路基板１２ｃが取付けられており、後面の下部で横方向中央部には、パネル部１１の駆動及び制御を行う制御回路基板１７が取付けられている。
【００３６】
信号処理回路基板１３はパネル部１１に表示する映像信号を処理させるもので、略四角形をなし、複数の電子部品及び導線接続部１３ａが実装されている。電源回路基板１４は、信号処理回路基板１３、インバータ回路基板１２ｃ及び制御回路基板１７等の部品に電圧を供給するもので、複数の電子部品及び導線接続部が実装されている。
【００３７】
前キャビネット１は、パネル部１１の周縁部前面に対向する環板部１ａ及びパネル部１１の周縁に対向する角枠部１ｂを有し、環板部１ａの一側部に、複数の操作スイッチを集約した操作回路基板１８が装着され、環板部１ａの下部に、表示ランプ及びリモートコントロール用受光素子等を集約した表示回路基板１９が装着されており、また、環板部１ａの下部に複数のリブ２が横方向に離隔して一体に成形されている。
【００３８】
後キャビネット１６は深皿形をなし、該後キャビネット１６及び前キャビネット１がケース体１２ｂの周縁部にビス等の雄螺子により取付けられている。
【００３９】
導線３は、信号処理回路基板１３と電源回路基板１４とに接続された導線３１、信号処理回路基板１３と制御回路基板１７とに接続された導線３２、信号処理回路基板１３とインバータ回路基板１２ｃとに接続された導線３３と、電源回路基板１４と制御回路基板１７とに接続された導線３４、信号処理回路基板１３と操作回路基板１８とに接続された導線３５、信号処理回路基板１３の導線接続部１３ａと表示回路基板１９とに接続された断面丸形をなす導線３６等、太さ及び断面形状が異なる複数本の導線３を有する。各導線３１〜３６夫々の両端にコネクタが結合されており、このコネクタが各回路基板の導線接続部に接続されている。
【００４０】
以上のように構成された表示装置は、前キャビネット１における環板部１ａの下部に、導線保持構造を構成する複数のリブ２が前述した成形方法により前キャビネット１と一体に成形されている。
【００４１】
リブ２は導線３６が嵌入される嵌入溝２１を有するため、該嵌入溝２１へ導線３６の中途を嵌入することにより、該導線３６を簡易に保持することができる。リブ２における嵌入溝２１の側面には入れ子の凹条により形成された凸形状２２の部分があり、凸形状２２の部分の表面は円滑である。よって、割型及び入れ子の合わせ面間に尖鋭縁、バリが生じる場合でも、非直線の経路に配される導線３６がリブ２の嵌入溝２１に嵌入される際、導線３６が尖鋭縁及びバリに接触するのをなくすることができ、尖鋭縁及びバリにて導線３６が損傷するのをなくすることができる。
【００４２】
図１２乃至図１５は本発明に係る導線保持構造の他の構成を示す拡大断面図である。図１２は嵌入溝２１における側面の横断方向一方側を凸形状２２とする代わりに、嵌入溝２１における側面のリブ横断面方向の全部に凸形状２２を配したものである。凸形状２２の湾曲方向一端はリブ２の一面２ａに連なり、凸形状２２の湾曲方向他端はリブ２の他面２ｂに連なるため、割型及び入れ子の合わせ面となる一面２ａの凸形状２２との連なり部にバリが生じた場合においても、嵌入溝２１に嵌入される導線３がバリにて損傷するのをなくすることができる。
【００４３】
図１３は嵌入溝２１における側面の横断方向一方側を凸形状２２とする代わりに、嵌入溝２１における側面のリブ横断面方向の中途に凸形状２２を配したものである。
【００４４】
図１４は嵌入溝２１における側面の横断方向一方側（リブの他面２ｂ側）を凸形状２２とし、嵌入溝２１における側面の横断方向他方側（リブの一面２ａ側）の縁部に、一面２ａと交差する方向へ湾曲するように面取りした面取部２３を設けたものである。凸形状２２の湾曲方向一端はリブ２の平坦面２１ｂに連なり、凸形状２２の湾曲方向他端はリブ２の他面２ｂに連なる。面取部２３の湾曲方向一端は一面２ａに連なり、面取部２３の湾曲方向他端は平坦面２１ｂに連なり、一面２ａと平坦面２１ｂとの間で面取りされているため、割型及び入れ子の合わせ面となる一面２ａの面取部２３との連なり部にバリが生じた場合において、凸形状２２の部分で保持された導線３の中途が比較的大きく曲げられることがあっても、導線３がバリに接触するのをなくすることができ、導線３がリブ２にて損傷するのをなくすることができる。
【００４５】
図１５は嵌入溝２１における側面の横断方向一方側（リブの他面２ｂ側）を大形の凸形状２２とし、嵌入溝２１における側面の横断方向他方側（リブの一面２ａ側）の縁部を、溝深方向視断面が微小の凸形状をなし、凸形状２２よりも大幅に小形の非尖鋭の凸２４としたものである。凸形状２２の湾曲方向一端はリブ２の平坦面２１ｂに連なり、凸形状２２の湾曲方向他端はリブ２の他面２ｂに連なる。凸２４の湾曲方向一端は一面２ａに連なり、凸２４の湾曲方向他端は平坦面２１ｂに連なり、一面２ａと平坦面２１ｂとの間で湾曲しているため、割型及び入れ子の合わせ面となる一面２ａの凸２４との連なり部にバリが生じた場合において、凸形状２２の部分で保持された導線３の中途が比較的大きく曲げられることがあっても、導線３がバリに接触するのをなくすることができ、導線３がリブ２にて損傷するのをなくすることができる。
【００４６】
図１２乃至図１５において、その他の構成及び作用は実施の形態１と同様であるため、同様の部品については同じ符号を付し、その詳細な説明及び作用効果の説明を省略する。
【００４７】
尚、以上説明した実施の形態では、嵌入溝２１における二つの側面から底面に亘って凸形状２２の部分を設けたが、その他、凸形状２２の部分は、嵌入溝２１の深さ方向の一部で、嵌入溝２１に嵌入される導線の中途を保持する部分にだけ設けてもよい。この場合、面取部２３、小形の凸２４も同様である。
【００４８】
また、以上説明した実施の形態では、凸形状２２の部分を断面略半円形としたが、その他、断面略台形、断面略三角形をなす形状であってもよく、凹条を有する入れ子により成形することができる凸形状であればよい。
【００４９】
また、以上説明した実施の形態では、前キャビネット１が導線保持構造のリブ２を有する構成としたが、その他、導線保持構造のリブ２は後キャビネット１６が備える構成としてもよく、導線保持構造を備える樹脂成形品はキャビネットに制限されない。
【００５０】
また、以上説明した実施の形態では、嵌入溝２１における側面の横断方向他方側（リブの一面２ａ側）の縁部に、一面２ａと交差する方向へ湾曲するように面取りされた面取部２３を設けたが、その他、一面２ａと交差する方向へ傾斜するように面取りされた面取部としてもよい。
【００５１】
また、図１４、図１５における凸形状２２は、図１３に示すように、嵌入溝２１における側面のリブ横断面方向の中途に配された構成であってもよい。
【００５２】
また、本発明に係る表示装置は液晶テレビジョン等の液晶表示装置である他、プラズマ表示装置、ＥＬディスプレイ等の表示装置であってもよい。
【符号の説明】
【００５３】
１    前キャビネット（キャビネット、樹脂成形品）
２    リブ
２１  嵌入溝
２２  凸形状
２３  面取部
２４  凸
３，３６  導線
１０  表示部
１３  信号処理回路基板（回路基板）
１９  表示回路基板（回路基板）
４１  第１の割型
４１ａ  第１のキャビティ
４２  第２の割型
４２ａ  第２のキャビティ
４３  入れ子
４３ａ  第３のキャビティ
４３ｂ  凹条
【図１】
2012234144.tif 000003
【図２】
2012234144.tif 000004
【図３】
2012234144.tif 000005
【図４】
2012234144.tif 000006
【図５】
2012234144.tif 000007
【図６】
2012234144.tif 000008
【図７】
2012234144.tif 000009
【図８】
2012234144.tif 000010
【図９】
2012234144.tif 000011
【図１０】
2012234144.tif 000012
【図１１】
2012234144.tif 000013
【図１２】
2012234144.tif 000014
【図１３】
2012234144.tif 000015
【図１４】
2012234144.tif 000016
【図１５】
2012234144.tif 000017
【図１６】
2012234144.tif 000018
【図１７】
2012234144.tif 000019